(57)【特許請求の範囲】
【請求項１】
医用画像に関する医用データファイルが記憶される外部リムーバブルメディアと接続する手段と、
前記医用データファイルの付帯情報に対応する管理情報のファイルを、患者情報ファイルと管理ファイルとに分割して、前記外部リムーバブルメディアに保存するファイル作成手段とを具備し、
前記ファイル作成手段は、
前記医用データファイル各々の患者情報により構成される前記患者情報ファイルを作成する患者情報ファイル作成部と、
前記医用データファイルの付帯情報に基づいて、複数の患者にそれぞれ対応する複数の管理ファイルを作成する管理ファイル作成部と、
を備えるリムーバブルメディア管理装置。
【請求項２】
前記患者情報ファイルは、複数の患者ディレクトリレコードにより構成され、
前記管理ファイル各々は、一人の患者に対する前記管理情報のファイルであり、
前記患者情報ファイルは、前記管理ファイルの上位の階層に位置し、
前記患者情報ファイルと前記管理ファイルとは、前記患者情報により関連づけられていること、
を特徴とする請求項１に記載のリムーバブルメディア管理装置。
【請求項３】
前記患者情報ファイルの患者のいずれかがユーザにより選択されたとき、前記選択された患者に対応する前記管理ファイルに基づいて、前記医用データファイルのファイルリストを作成するリスト作成部と、
前記患者情報ファイルをリスト表示し、前記患者の選択を契機として前記選択された患者に対応し、前記患者情報ファイルの下位の階層に位置する前記管理ファイルの前記ファイルリストを表示する表示部と、
をさらに具備する請求項１または２に記載のリムーバブルメディア管理装置。
【発明の詳細な説明】
【技術分野】
【０００１】
本発明は、医用データファイルが記憶された機器に接続され、医用データファイルを保存するリムーバブルメディアを管理する装置に関する。
【背景技術】
【０００２】
超音波診断装置等の医療機器における医用データファイルの保存媒体として、近年リムーバブルメディアが使われている。リムーバブルメディアの一例として、ＵＳＢ（Universal Serial Bus）メモリやＵＳＢ−ＨＤＤ（Universal Serial Bus - Hard Disk Drive）などが存在する。これらメディアへの医用データファイルの保存方法としては、ＤＩＣＯＭ（Digital Imaging Communication in Medicine）規格に則って行われることが主流になりつつある。
【０００３】
ここでＤＩＣＯＭとは、米国放射線学会(American College of Radiology 以下ＡＣＲ)と米国電機工業会(National Electrical Manufacturers Association 以下ＮＥＭＡ)とによる委員会が定めた「医用におけるディジタル画像と通信」に関する標準規格である。この標準規格に基づいて画像フォーマットや通信のプロトコルを設定することにより、Ｘ線ＣＴ装置やＭＲＩ装置のような異なる種類のモダリティで収集された医用画像や、メーカの異なるモダリティで収集された医用画像を含む医用情報が、共通の資産として活用できるようになっている。なお、ＤＩＣＯＭ規格に則って、医用データファイルと、この医用データファイルの管理情報（例えば、患者情報、検査情報、画像のシリーズ情報、画像情報）であるディレクトリレコード（Directory Record 以下ＤＲ）と、このディレクトリレコードについて階層化したＤＩＣＯＭＤＩＲファイルとが保存される記憶媒体を以後ＤＩＣＯＭメディアと称する。
【０００４】
近年ＤＩＣＯＭメディアとして、年々大容量化している上記ＵＳＢメモリや、更に大容量の上記ＵＳＢ−ＨＤＤなどの大容量のリムーバブルメディアを使用したいというユーザの要望がある。このとき、リムーバブルメディアの大容量化に伴い、保存されるデータ量が増大し、かつこれらのデータを管理するファイルであるＤＩＣＯＭＤＩＲファイルのサイズが大きくなる。
【０００５】
これらのような大容量のリムーバブルメディアの使用は、ＤＩＣＯＭの規格の想定を超えている。すなわち、従来どおりに上記大容量リムーバブルメディアを使用すると、応答性が遅い場合がある。具体的な問題点としては、例えば、デバイスの認識が遅いこと、データの閲覧であるリスト表示に時間がかかること、データの読み書きに時間がかかることである。
【発明の概要】
【発明が解決しようとする課題】
【０００６】
本発明の目的は、ＤＩＣＯＭメディアとして、大容量リムーバブルメディアを使用したときのデバイスの認識、リスト表示、データの読み書き等における応答性の遅さを向上することである。
【課題を解決するための手段】
【０００７】
本発明は、上記目的を達成するため、次のような手段を講じている。  
本発明の第１局面は、医用画像に関する医用データファイルが記憶される外部リムーバブルメディアと接続する手段と、前記医用データファイルの付帯情報に対応する管理情報のファイルを、患者情報ファイルと管理ファイルとに分割して、前記外部リムーバブルメディアに保存するファイル作成手段とを具備し、前記ファイル作成手段は、前記医用データファイル各々の患者情報により構成される前記患者情報ファイルを作成する患者情報ファイル作成部と、前記医用データファイルの付帯情報に基づいて、複数の患者にそれぞれ対応する複数の管理ファイルを作成する管理ファイル作成部と、を備えるリムーバブルメディア管理装置を提供する。
【発明の効果】
【００１０】
本発明のリムーバブル管理装置によれば、ＤＩＣＯＭメディアとして、大容量リムーバブルメディアを使用したときのデバイスの認識、リスト表示、データの読み書き等における応答性の遅さを解消することができ、大容量リムーバブルメディアの応答性が向上する。
【図面の簡単な説明】
【００１１】
【図１】図１は、本発明による第１実施形態に係るリムーバブル管理装置１０１を表した図である。
【図２】図２は、第１の実施形態において、図１のリムーバブル管理装置１０１により外部リムーバブルメディア１１５内に構築されるＤＩＣＯＭメディア１のデータ構造の一例を示した図である。
【図３】図３は、図１のリムーバブルメディア管理装置１０１のブロック構成図を示している。
【図４】図４は、第１の実施形態において、複数の記憶区分それぞれに作成される管理ファイルの一例である。
【図５】図５は、第１の実施形態において、本リムーバブル管理装置１０１へ外部リムーバブルメディア１１５を接続したときに、表示部で表示される画面の一例である。
【図６】図６は、第１の実施形態において、本リムーバブルメディア管理装置１０１による外部リムーバブルメディア１１５への保存処理の手順を示すフローチャートである。
【図７】図７は、第１の実施形態において、本リムーバブルメディア管理装置１０１による外部リムーバブルメディア１１５に保存された医用データファイルの読出し処理の手順を示すフローチャートである。
【図８】図８は、第１の実施形態において、リスト作成部１０６が、選択された仮想メディア内の医用データファイルに対して作成したファイルリストの一例である。
【図９】図９は、第２の実施形態によるリムーバブルメディア管理装置２０１のブロック構成図を示している。
【図１０】図１０は、第２の実施形態において、全記憶領域に記憶された全ての医用データファイルを対象とした患者情報ファイルの一例である。
【図１１】図１１は、第２の実施形態において、本リムーバブルメディア管理装置２０１による外部リムーバブルメディア１１５への最初の接続時での保存処理の手順を示すフローチャートである。
【図１２】図１２は、第２の実施形態において、それぞれの患者に作成される管理ファイルの一例である。
【図１３】図１３は、第２の実施形態において、本リムーバブルメディア管理装置２０１による外部リムーバブルメディア１１５への追加保存の処理の手順を示すフローチャートである。
【図１４】図１４は、第２の実施形態において、本リムーバブルメディア管理装置２０１による外部リムーバブルメディア１１５に保存された医用データファイルの読出し処理の手順を示すフローチャートである。
【図１５】図１５は、第２の実施形態および第３の実施形態において、本リムーバブル管理装置２０１へ外部リムーバブルメディア１１５を接続したときに、表示部で表示される画面の一例である。
【図１６】図１６は、第２の実施形態および第３の実施形態において、リスト作成部１０６が作成した医用データファイルのファイルリストの一例である。
【図１７】図１７は、第２の実施形態において、本リムーバブル管理装置２０１により外部リムーバブルメディア１１５内に構築されるデータ構造の一例を示した図である。
【図１８】図１８は、第３の実施形態によるリムーバブルメディア管理装置３０１のブロック構成図を示している。
【図１９】図１９は、第３の実施形態において、本リムーバブルメディア管理装置３０１による外部リムーバブルメディア１１５への最初の接続時での保存処理の手順を示すフローチャートである。
【図２０】図２０は、第３の実施形態において、複数の記憶区分それぞれに複数の患者がそれぞれ対応するように作成される管理ファイルの一例である。
【図２１】図２１は、第３の実施形態において、全記憶区分に記憶された全ての管理ファイルを対象とした患者情報ファイルの一例である。
【図２２】図２２は、第３の実施形態において、本リムーバブルメディア管理装置３０１による外部リムーバブルメディア１１５への追加保存の処理の手順を示すフローチャートである。
【図２３】図２３は、第３の実施形態において、本リムーバブルメディア管理装置３０１による外部リムーバブルメディア１１５に保存された医用データファイルの読出し処理の手順を示すフローチャートである。
【図２４】図２４は、第３の実施形態において、本リムーバブル管理装置３０１により外部リムーバブルメディア１１５内に構築されるデータ構造の一例を示した図である。
【発明を実施するための形態】
【００１２】
以下、図面を参照しながら本発明の実施形態に係わるリムーバブルメディア管理装置を説明する。本実施形態に係るリムーバブルメディア管理装置は、Ｘ線コンピュータ断層撮影装置、Ｘ線診断装置、超音波診断装置、ガンマカメラ、磁気共鳴イメージング装置などの医用画像発生装置により発生された医用画像に関する医用データファイルを記憶している機器から外部リムーバブルメディアへ保存する際の管理および、医用データファイルが保存されている外部リムーバブルメディアから表示を行う際の管理を行う装置である。本実施形態に係る保存形態は、特に限定されず如何なる保存形態にも適用可能である。
【００１３】
（第１の実施形態）  
発明の構成および機能の概略図である図１を参照としながら、まず本発明の構成を説明する。図１に示すように、本発明の第１の実施形態に係るリムーバブルメディア管理装置１０１は、外部リムーバブルメディア１１５（例えば大容量ＵＳＢ−ＨＤＤ又はＵＳＢメモリ）を着脱可能に接続する。以降、本実施形態の説明を具体的に行うため、保存形態は、ＤＩＣＯＭ（Digital Imaging Communication in Medicine）規格で行うものとする。
【００１４】
はじめに、リムーバブルメディア管理装置１０１によって外部リムーバブルメディア１１５へ構築されるＤＩＣＯＭ規格でのデータ構造の一例である図２について説明する。
【００１５】
図２に示すように、外部リムーバブルメディア１１５の記憶領域は、リムーバブルメディア管理装置１０１によって複数の記憶区分に分割される。それぞれの記憶区分は、ＤＩＣＯＭ規格におけるデータ構造を有するＤＩＣＯＭメディア１（ディスクイメージ）として定義される。ＤＩＣＯＭメディア１には、医用データファイルを主とするオブジェクトファイル３、４、５とディレクトリレコード（Directory Record 以下ＤＲ）から構成されるＤＩＣＯＭＤＩＲファイル２とがマウントされる。医用データファイルは、主にＸ線コンピュータ断層撮影装置（Computed Tomography : CT）、Ｘ線診断装置、超音波診断装置、磁気共鳴イメージング装置、ガンマカメラなどのモダリティで発生された医用画像データファイルである。以下オブジェクトファイルを医用データファイルという。この他に、ＤＩＣＯＭ形式ではない非ＤＩＣＯＭファイル６を持つことも可能である。
【００１６】
ＤＩＣＯＭＤＩＲファイル２は、外部リムーバブルメディア１１５の記憶区分に記憶される全ての医用データファイル３、４、５を対象とした管理情報である。ＤＩＣＯＭＤＩＲファイル２には、複数のＤＲがマウントされる。複数のＤＲには、例えば、Patient DR７−ａ、Study DR８−ａ、Series DR９−ａ、Image DR１０−ａ、Image DR１１−ａ、Image DR１２−ａがある。ルートディレクトリの直下にPatient DR７−ａがマウントされる。Patient DR７−ａの下位にStudy DR８−ａがマウントされる。Study DR８−ａの下位にSeries DR９−ａがマウントされる。Series DR９−ａの下位にImage DR１０−ａ、Image DR１１−ａ、Image DR１２−ａがマウントされる。添え字のaは、ある患者aについてのＤＲおよび医用データファイルを表している。Patient DR７−ａ、Study DR８−ａ、Series DR９−ａ、Image DR１０−ａ、Image DR１１−ａ、Image DR１２−ａには、それぞれのＤＲの階層情報とそれぞれのＤＲに対応したそれぞれの医用データファイルへのアドレス情報とともに以下詳述する内容が記述されている。以下上記それぞれのＤＲについて説明する。
【００１７】
Patient DR７−ａは、患者名や患者ＩＤ等の患者情報を記述したＤＲである。Study DR８−ａは、検査日付や検査時刻等の検査情報を記述したＤＲである。Series DR９−ａは、画像のモダリティ（modality）や画像同士の関連性等のシリーズ情報を記述したＤＲである。Image DR１０、Image DR１１、Image DR１２は、それぞれの画像に対応した画素数や画像階調度（画素当たりのビット数）等の画像情報を記述したＤＲである。上記患者情報、検査情報、シリーズ情報、画像情報は、医用データファイル３、４、５の付帯情報を構成する情報である。
【００１８】
このように、ＤＩＣＯＭメディア１には、医用データファイルとともに、この医用データファイルの付帯情報と関連するＤＩＣＯＭＤＩＲファイル２が記憶される。医用データファイルに対応するＤＲが、階層構造に組まれてＤＩＣＯＭＤＩＲファイル２を構成する。
【００１９】
図３は、図１における本実施形態に係るリムーバブルメディア管理装置１０１のブロック構成図を示している。図３に示すように、本リムーバブルメディア管理装置１０１は、外部リムーバブルメディア１１５と接続されるコネクタ１０２を有する。外部リムーバブルメディア１１５は、例えばＵＳＢ−ＨＤＤまたは、ＵＳＢメモリである。ＵＳＢ−ＨＤＤとは、ＵＳＢ接続の外付けハードディスク装置である。外部リムーバブルメディア１１５は、ＵＳＢ−ＨＤＤであっても、ＵＳＢメモリであっても、その他の記憶媒体であっても、以下説明するリムーバブルメディア管理装置１０１の動作は同一である。本リムーバブルメディア管理装置１０１は、外部リムーバブルメディア１１５との接続を検出する接続検出部１０３と、記憶区分認識部１０４と、記憶区分分割部１０５と、リスト作成部１０６と、表示部１０７と、認識部１０８と、管理ファイル作成部１０９と、割当部１１０とから構成される。加えてリムーバブルメディア管理装置１０１には、医用データファイルを記憶している例えばＰＡＣＳ（picture archiving and communication system：医用画像保管通信システム）を構成する機器１１１が別途接続されている。医用データファイルを記憶している機器１１１は、入力部１１２、選択部１１４、医用データファイル記憶部から構成される。
【００２０】
接続検出部１０３は、コネクタ１０２を介して外部リムーバブルメディア１１５との接続を検出し、検出された信号を記憶区分認識部１０４へ送る。記憶区分認識部１０４は、接続検出部１０３からの信号に基づいて、コネクタ１０２を経由して外部リムーバブルメディア１１５における記憶領域の分割の有無、つまり、初めて接続されたか否かについての情報を認識する。外部リムーバブルメディア１１５の記憶領域が分割されていないならば、上記記憶領域の未分割の信号を記憶区分分割部１０５へ送る。記憶区分分割部１０５は、上記記憶領域の未分割の信号に基づいて、外部リムーバブルメディア１１５の記憶領域を複数の記憶区分（以下複数の仮想メディア）に分割する。
【００２１】
入力部１１２は、図示しないが、外部リムーバブルメディア１１５へ保存する医用データファイルを選択するためのマウス、キーボードなどの操作装置を有する。ユーザによる入力部１１２を介した保存対象の医用データファイルの選択操作に基づいて、選択部１１４が医用データファイル記憶部１１３から医用データファイルの付帯情報を認識部１０８に読み出させる。
【００２２】
認識部１０８は、読み出された医用データファイルの付帯情報と、外部リムーバブルメディア１１５の各々の仮想メディアに保存されている医用データファイルの付帯情報を管理する管理ファイル（以下ＤＩＣＯＭＤＩＲファイル２）の情報とを割当部１１０に送る。また、外部リムーバブルメディア１１５に保存されている医用データファイルを読み出すとき、外部リムーバブルメディア１１５との接続を検出後、外部リムーバブルメディア１１５の記憶区分（以下仮想メディア）それぞれに保存されているＤＩＣＯＭＤＩＲファイル２を認識し、認識したＤＩＣＯＭＤＩＲファイル２の情報を表示部１０７へ送る。
【００２３】
割当部１１０は、認識部１０８から送られた医用データファイルの付帯情報と、外部リムーバブルメディア１１５の仮想メディアに保存されている医用データファイルの付帯情報を管理するＤＩＣＯＭＤＩＲファイル２の情報との関連性の情報に基づいて、所定の規則に従って、送られた医用データファイルに仮想メディアのいずれかを保存先として割り当てる。ここで所定の規則とは、複数の仮想メディアのいずれかにおいて、仮想メディアに保存されている医用データファイルの付帯情報を管理するＤＩＣＯＭＤＩＲファイル２の患者の情報（患者ディレクトリレコード以下患者ＤＲ）と、保存対象である医用データファイルの付帯情報の一部である患者の情報とが一致したならば、上記ＤＩＣＯＭＤＩＲファイル２が保存されている記憶区分を、当該医用データファイルに割り当てるように規定されている。なお、医用データファイルの付帯情報の一部である患者の情報における氏名のアルファベットに基づいて、仮想メディアを保存対象の医用データファイルに割り当てる規則や、医用データファイルが作成された日時に基づいて、保存対象の医用データファイルに仮想メディアを割り当てる規則を用いることも可能である。また、上記割当後、当該医用データファイルを上記仮想メディアへ保存する。
【００２４】
管理ファイル作成部１０９は、割当部１１０によって割り当てられた仮想メディアにおける医用データファイルの保存アドレス情報とこの医用データファイルの付帯情報を含むＤＩＣＯＭＤＩＲファイル２とを、複数の仮想メディア各々に作成する。ＤＩＣＯＭ規格に従って、例えば図４のように、ＤＩＣＯＭＤＩＲファイル２の一つのレコードには、一つの医用データファイルの付帯情報と関連する各ＤＲと、この医用データファイルの保存アドレスが記載される。管理ファイル作成後、割当部１０８において医用データファイルへ割り当てられた仮想メディアと関連したＤＩＣＯＭＤＩＲファイル２は、この医用データファイルを保存している仮想メディアと同じ仮想メディアへ保存される。複数の仮想メディアのいずれかにおいて、仮想メディアに保存されている医用データファイルの付帯情報を管理するＤＩＣＯＭＤＩＲファイル２の患者ＤＲと、保存対象である医用データファイルの付帯情報の一部である患者の情報とが一致したならば、割り当てられた仮想メディアにおける医用データファイルの保存アドレス情報とこの医用データファイルの付帯情報とに基づいて、割り当てられた仮想メディアのＤＩＣＯＭＤＩＲファイル２を更新する。
【００２５】
医用データファイルを保存している外部リムーバブルメディア１１５を本リムーバブルメディア管理装置１０１へ接続し、ユーザにより複数の仮想メディアのいずれかが選択されたとき、リスト作成部１０６は、選択された仮想メディアに対応するＤＩＣＯＭＤＩＲファイルに基づいて、医用データファイルのファイルリストを作成する。このファイルリストの情報は、表示部１０７へ送られ、リスト表示される。
【００２６】
表示部１０７は、上記ファイルリストの表示のほかに、認識部１０８で認識したＤＩＣＯＭＤＩＲファイル２の情報に基づいて、仮想メディアのリスト表示を行う。表示部１０７において複数の仮想メディアのリストは、例えば図５のように表示される。
【００２７】
（動作）  
次に、本リムーバブルメディア管理装置１０１において、外部リムーバブルメディア（以下実体メディア）１１５への保存および読出しの動作について説明する。図６は、本リムーバブルメディア管理装置１０１において、実体メディア１１５への保存処理の手順を示すフローチャートである。
【００２８】
はじめに、接続検出部１０３が実体メディア１１５の接続を検出（ステップＳａ１）し、記憶区分認識部１０４が上記実体メディアの記憶領域について、複数の記憶区分（以下複数の仮想メディア）に分割されているのか否かを判断（ステップＳａ２）する。分割されていなければ、記憶区分分割部１０５が、上記実体メディアの記憶領域を複数の仮想メディアに分割する（ステップＳａ３）。例えば、実体メディアの記憶領域の大きさが４００ＧＢのとき、一つの記憶区分の大きさを均等に１０ＧＢとして、実体メディアの記憶領域を４０個の記憶区分に分割する。このように、実体メディアを複数の仮想メディアに分割するとともに、仮想メディアに対して個々にＤＩＣＯＭＤＩＲファイルを設けることにより、アクセスの応答性を向上させる。
【００２９】
次に、認識部１０８が、ユーザによって入力部１１２を介して選択部１１４で選択された保存対象の医用データファイルを認識（ステップＳａ４）し、割当部１１０が所定の規則に従って、保存対象の医用データファイルに記憶区分（以下仮想メディア）のいずれかを保存先として、保存対象の医用データファイルの付帯情報に基づいて割り当てる（ステップＳａ５）。この割当に基づいて、保存対象の医用データファイルを割り当てられた仮想メディアに保存する（ステップＳａ６）。割り当てられた仮想メディアに保存された医用データファイルと関連した管理ファイル（以下ＤＩＣＯＭＤＩＲファイル）が、割り当てられた仮想メディアに存在しなければ、管理ファイル作成部１０９がＤＩＣＯＭＤＩＲファイルを作成し、割り当てられた仮想メディアに保存する。割り当てられた仮想メディアに保存された医用データファイルと関連したＤＩＣＯＭＤＩＲファイルが、割り当てられた仮想メディアに存在すれば、割り当てられた仮想メディアに保存された医用データファイルの保存アドレス情報とこの医用データファイルの付帯情報とに基づいて、上記ＤＩＣＯＭＤＩＲファイルのレコードへ、保存対象の医用データファイルの付帯情報を新たに組み入れる（ステップＳａ７）。
【００３０】
また、ユーザが上記実体メディアの取り外しを選択する（ステップＳａ８）まで、認識部１０８がユーザによって選択された保存対象の医用データファイルの認識する処理（ステップＳａ４）から上記実体メディアの取り外しを選択する判断処理（ステップＳａ8）までの手順を繰り返し行う。
【００３１】
次に、外部リムーバブルメディア（以下実体メディア）１１５に保存された医用データファイルの読出し処理の手順について、図７のフローチャートを参照としながら解説する。
【００３２】
はじめに、接続検出部１０３が実体メディア１１５の接続を検出（ステップＳｂ１）し、認識部１０８がそれぞれの記憶区分（以下仮想メディア）に存在するそれぞれの管理ファイル（以下ＤＩＣＯＭＤＩＲファイル）を読み出す（ステップＳb２）。読み出されたＤＩＣＯＭＤＩＲファイルに基づいて、複数の記憶区分（以下複数の仮想メディア）と対応した複数のドライブネームを表示部１０７がリスト表示する（ステップＳb３）。このリスト表示は、例えば図５のように画面上に複数の仮想メディアとして表される。
【００３３】
リスト表示された複数の仮想メディアのいずれかが、ユーザによって入力部１１２を介して選択部１１４で選択されると、選択された仮想メディアに対応するＤＩＣＯＭＤＩＲファイルのＤＲに基づいて、リスト作成部１０６が、選択された仮想メディア内の医用データファイルに対してファイルリストを作成する（ステップＳｂ４）。図８にリスト作成部が作成するファイルリストの一例を示す。作成されるファイルリストの項目は、例えば、患者氏名、検査名、シリーズナンバー、画像ナンバーなどである。
【００３４】
次に、表示部１０７が作成したファイルリストを表示する（ステップＳｂ５）。表示されたファイルリストからユーザが選択した医用データファイルに基づいて、選択された医用データファイルを保存している仮想メディアから、ユーザが選択した医用データファイルを読み出す（ステップＳｂ６）。医用データファイルの読出しの終了を選択する（ステップＳb７）まで、ファイルリストを作成する処理（ステップＳｂ４）から医用データファイルの読出しの終了を判断する処理（ステップSｂ7）までの手順を繰り返し行う。
【００３５】
以上図６、図７では、ＤＩＣＯＭ規格の一例として、管理ファイルについてはＤＩＣＯＭＤＩＲファイル２を用いて解説してきたが、管理ファイルとしては、ＤＩＣＯＭ規格以外のものを用いることも可能である。また、外部リムーバブルメディア１１５としてＵＳＢ−ＨＤＤやＵＳＢメモリ、他の記憶媒体を用いることも可能である。
【００３６】
以上に述べた構成によれば、以下の効果を得ることができる。
【００３７】
本リムーバブルメディア管理装置１０１は、外部リムーバブルメディア１１５の記憶領域を複数の記憶区分である複数の仮想メディアに分割し、分割された記憶領域に対応する仮想メディアに、医用データファイルと当該医用データファイルの付帯情報に基づく管理ファイルを保存する。また、外部リムーバブルメディア１１５から医用データファイル読み出すとき、複数の記憶区分である複数の仮想メディアと対応した複数のドライブネームをリスト表示する。続いてユーザにより複数の仮想メディアのいずれかが選択されると選択された仮想メディアの管理ファイルを読み込む。読み込んだ管理ファイルに基づいて選択した仮想メディア内の医用データファイルをリスト表示する。以上のことから、本リムーバブルメディア管理装置１０１は、外部リムーバブルメディア１１５の記憶領域を複数の記憶区分に分割し、それぞれの記憶区分ごとに医用データファイルを管理する。従って、外部リムーバブルメディア１１５へアクセスするとき、記憶区分ごとにアクセスすることによりアクセス時のデータ量を少なく制限でき、外部リムーバブルメディア１１５へのアクセス時の応答性が遅いといった問題を解消することができる。
【００３８】
（第２の実施形態）  
図９は、本発明の第２の実施形態に係るリムーバブルメディア管理装置２０１のブロック構成図を示している。本実施形態におけるリムーバブルメディア管理装置２０１の構成について、上述した第１の実施形態の構成図である図３と同一である構成要素においては、説明の重複を避けるため、同符号を付してその詳細な説明は省略し、異なる構成要素について説明する。また、コネクタ１１２と接続される外部リムーバブルメディア１１５や本実施形態におけるリムーバブルメディア管理装置２０１に別途接続されている医用データファイルを記憶している例えばＰＡＣＳを構成する機器１１１についても、その構成要素は図３と同一であり、説明の重複を避けるため、同符号を付してその詳細な説明は省略する。
【００３９】
図３と異なる構成要素は、図３における記憶区分認識部１０４と記憶区分分割部１０５が存在せず、患者情報ファイル作成部２２０を具備していることである。
【００４０】
患者情報ファイル作成部２２０は、外部リムーバブルメディア１１５の全記憶領域に記憶された全ての医用データファイルを対象とした患者情報に関する患者情報ファイルを作成する。患者情報ファイル７７の概念図の一例を図１０に示す。図１０において、患者情報ファイル７７は、複数の患者情報と複数の患者それぞれの医用データファイルを管理する管理ファイルの保存アドレス情報とから構成される。
【００４１】
本実施形態におけるリムーバブル管理装置２０１は、外部リムーバブルメディア１１５に対して、一例として図１７に示すデータ構造をＤＩＣＯＭ規格に基づいて構築する。構築されるデータ構造は、第１の実施形態と比較して以下の相違点がある。一点目の相違点は、本実施形態では、外部リムーバブルメディア１１５の記憶領域を記憶区分に分割していない点である。二点目の相違点は、本実施形態では、図２に示されたＤＩＣＯＭＤＩＲファイル２が、患者情報ファイルと管理ファイルとに分割されている点である。図１７および患者情報ファイル、管理ファイルについては、以下の動作において詳述する。
【００４２】
（動作）  
次に、本リムーバブルメディア管理装置２０１において、外部リムーバブルメディア１１５への最初の接続による保存、追加保存および読出しの動作について説明する。外部リムーバブルメディア１１５は、例えばＵＳＢ−ＨＤＤまたはＵＳＢメモリであり、他の記憶媒体であっても以下説明するリムーバブルメディア管理装置２０１の動作は同一である。図１１は、本リムーバブルメディア管理装置２０１において、外部リムーバブルメディア１１５への最初の接続による保存処理の手順を示すフローチャートである。
【００４３】
はじめに、接続検出部１０３が外部リムーバブルメディア１１５の接続を検出する（ステップＳｃ１）。認識部１０８が、ユーザによって入力部１１２を介して選択部１１４で選択された保存対象の医用データファイルを読み出し（ステップＳｃ２）、読み出した医用データファイルの付帯情報から患者の情報を抽出する（ステップＳｃ３）。患者情報ファイル作成部２２０が、抽出された患者情報を含み、外部リムーバブルメディア１１５の全記憶領域に記憶された全ての医用データファイルを対象とした患者情報ファイル７７を作成する（ステップＳｃ４）。読み出した保存対象の医用データファイルと作成した患者情報ファイル７７とを、接続した外部リムーバブルメディア１１５の記憶領域へ保存する（ステップＳｃ５）。
【００４４】
次に、管理ファイル作成部１０９が、複数の患者それぞれに対応する複数の管理ファイルをそれぞれ作成する（ステップＳｃ６）。作成された管理ファイルの概念図の一例を図１２に示す。図１２において、作成された管理ファイルは、一人の患者における複数の医用データファイルを管理対象としており、保存された医用データファイルの保存アドレス情報と保存された医用データファイルの付帯情報の一部とを含む。
【００４５】
本実施形態での管理ファイルと、図４に示された第１の実施形態で作成された管理ファイル、すなわち記憶区分それぞれに作成されたＤＩＣＯＭＤＩＲファイルとは、管理対象範囲が異なるファイルである。図１２に示された本実施形態での管理ファイルは、一人の患者における複数の医用データファイルを管理対象としている。一方、図４に示された第１の実施形態で作成された管理ファイルは、複数の患者における複数の医用データファイルを管理対象としている。このように、医用データファイルの付帯情報を管理するＤＩＣＯＭＤＩＲファイル２を、患者情報ファイル７７とそれぞれの患者に対応した管理ファイルとに分割することで、外部リムーバブルメディア１１５へのアクセスの応答性を向上させる。
【００４６】
フローチャートに戻って、管理ファイル作成部１０９で作成された管理ファイルを、接続した外部リムーバブルメディア１１５の記憶領域に、患者情報ファイル７７の患者情報と管理ファイルの患者情報とを関連付けて保存する（ステップＳｃ７）。
【００４７】
次に、本リムーバブルメディア管理装置２０１において、外部リムーバブルメディア１１５への追加保存の処理について説明する。図１３は、本実施形態における追加保存の処理の手順を示すフローチャートである。それぞれの処理が図１１と同一であるものについては、説明の重複を避けるため、同符号を付してその詳細な説明は省略し、異なる処理についてのみ説明する。
【００４８】
図１３と図１１における異なる処理は、図１１におけるステップＳｃ４およびステップＳｃ６における作成という処理である。作成という処理を更新という処理に変えることで、図１３のステップＳｃ４４およびステップＳｃ６６が得られる。ステップＳｃ４４における更新という処理は、最初の接続による保存処理で作成された患者情報ファイル７７へ、追加保存対象である医用データファイルの患者情報を新たに組み入れる処理である。
【００４９】
また、ステップＳｃ６６における更新という処理は、管理ファイルの患者情報と、追加保存対象である医用データファイルの患者情報とが同一であるならば、追加保存対象の医用データファイルの付帯情報を上記管理ファイルに組み入れる処理である。一方、管理ファイルの患者情報と、追加保存対象である医用データファイルの患者情報とが同一でないならば、ステップＳｃ６６における更新という処理は、追加保存対象である医用データファイルの患者情報に基づいて、新たに管理ファイルを作成する処理である。また、複数回の保存を行う手順として、ユーザによって医用データファイルの保存の終了が選択（ステップＳｃ８）されない限り、ユーザによって入力部１１２を介して選択部１１４で選択された保存対象の医用データファイルを認識する処理（ステップＳｃ２）から管理ファイルを外部リムーバブルメディア１１５の記憶領域へ保存する処理（ステップＳｃ７）までの手順を繰り返し行う。
【００５０】
続いて、外部リムーバブルメディア１１５に保存された医用データファイルの読出し処理の手順について、図１４のフローチャートを参照にしながら解説する。
【００５１】
はじめに、接続検出部１０３が外部リムーバブルメディア１１５の接続を検出する（ステップＳｄ１）。外部リムーバブルメディア１１５を検出後、表示部１０７で表示される画面の一例を図１５の左側に示す。外部リムーバブルメディア１１５を検出すると、例えば図１５の矢印の左側に示されたメディアが一つだけ表される。
【００５２】
続いて認識部１０８が、全記憶領域に記憶された全ての医用データファイルを対象とした患者情報ファイル７７を読み出す（ステップＳｄ２）。読み出された患者情報ファイル７７に基づいて、リスト作成部１０６が患者リストを作成する（ステップＳｄ３）。作成される患者リストの項目は、例えば、氏名、生年月日、性別などである。
【００５３】
ユーザが図１５の矢印の左側に示されたメディアを選択すると、リスト作成部が作成した患者リストを表示部１０７が表示する（ステップＳｄ４）。表示部１０７が作成された患者リストを表示する画面の一例を、図１５の矢印の右側に示す。図１５の患者リストの一例では、患者リストの項目の一例として、患者氏名、患者ＩＤ、生年月日、性別が表示されている。
【００５４】
図１５の矢印の右側に示された患者リストにおいて、ユーザによって入力部１１２を介して選択部１１４で選択された患者に基づいて、選択された患者と対応する管理ファイルを読み込む（ステップＳｄ５）。読み込んだ管理ファイルに基づいて、リスト作成部１０６が医用データファイルのファイルリストを作成する（ステップＳｄ６）。図１６にリスト作成部１０６が作成するファイルリストの一例を示す。作成されるファイルリストの項目は、例えば、検査名、シリーズナンバー、画像ナンバーなどである。ファイルリストの項目について、図１６に示されたファイルリストと第１の実施形態における図８で示されたファイルリストとの違いは、患者氏名が含まれていないことである。本実施形態におけるファイルリストの項目において、患者氏名が含まれていない理由は、患者リストからユーザによる患者の選択に基づいて、ファイルリストが作成されるためである。次に、表示部１０７が作成されたファイルリストを表示する（ステップＳｄ7）。このとき、ユーザの都合に合わせて患者情報をファイルリストに加えていてもよい。
【００５５】
表示されたファイルリストにおいて、ユーザによって選択された医用データファイルに基づいて、選択された医用データファイルを上記外部リムーバブルメディア１１５から読み出す（ステップＳｄ８）。医用データファイルの読出しの終了が選択（ステップＳｄ９）されない限り、ユーザによって選択された患者と対応する管理ファイルを読み込む処理（ステップＳｄ５）から医用データファイルの読出しを終了する判断処理（ステップＳｄ９）までの手順を繰り返し行う。
【００５６】
本実施形態におけるリムーバブルメディア管理装置２０１によって外部リムーバブルメディア１１５へ構築されるＤＩＣＯＭ規格でのデータ構造の一例である図１７について、上述した第１の実施形態におけるリムーバブルメディア管理装置１０１によって外部リムーバブルメディア１１５へ構築されるＤＩＣＯＭ規格でのデータ構造の一例である図２と同一である構成要素については、説明の重複を避けるため、同符号を付してその詳細な説明は省略し、異なる構成要素について説明する。
【００５７】
図１７に示すように、外部リムーバブルメディアの記憶領域は、ＤＩＣＯＭ規格におけるデータ構造を有するＤＩＣＯＭメディア（ディスクイメージ）として定義される。ＤＩＣＯＭ規格との対応における患者情報ファイル７７は、患者ＤＲのみで構成されたＤＩＣＯＭＤＩＲファイルである。ＤＩＣＯＭ規格との対応における管理ファイルは、管理対象の範囲が患者一人であるという点を除いて、ＤＩＣＯＭＤＩＲファイル２と同一な構成となっている。一人の患者についてのＤＩＣＯＭＤＩＲファイルの総数は、患者情報ファイル７７に含まれる患者ＤＲの総数と等しい。すなわち、患者ＤＲのみで構成されたＤＩＣＯＭＤＩＲファイル７７におけるある患者ｂについての患者ＤＲ７−ｂと、患者ｂについてのＤＩＣＯＭＤＩＲファイル２−ｂとが関連付いている。
【００５８】
ＤＩＣＯＭメディアには、医用データファイルを主とするオブジェクトファイル３、４、５と、患者ＤＲのみで構成されたＤＩＣＯＭＤＩＲファイル７７と、患者の総数と同数存在する一人の患者についてのＤＩＣＯＭＤＩＲファイルとがマウントされる。患者ＤＲのみで構成されたＤＩＣＯＭＤＩＲファイル７７には、複数の患者ＤＲがマウントされる。一人の患者についてのＤＩＣＯＭＤＩＲファイル２−ｂには、複数のＤＲがマウントされる。すなわち、Patient DR７−ｂの下位にStudy DR８−ｂがマウントされる。Study DR８−ｂの下位にSeries DR９−ｂがマウントされる。Series DR９−ｂの下位にImage DR１０−ｂ、Image DR１１−ｂ、Image DR１２−ｂがマウントされる。また、Image DR１０−ｂ、Image DR１１−ｂ、Image DR１２−ｂからの点線の矢印は、Image DR１０−ｂ、Image DR１１−ｂ、Image DR１２−ｂと記憶領域に保存されているオブジェクトファイル３−ｂ、オブジェクトファイル４−ｂ、オブジェクトファイル５−ｂとが、それぞれ関連付けられていることを示している。添え字のｂは、ある患者ｂについてのＤＲおよび医用データファイルを表している。
【００５９】
以上図１１、図１３、図１４では、ＤＩＣＯＭ規格と対応する一例として、患者情報ファイルについては患者情報ＤＲのみで構成されたＤＩＣＯＭＤＩＲファイルを、管理ファイルについては一人の患者についてのＤＩＣＯＭＤＩＲファイルを用いることも可能である。また、外部リムーバブルメディア１１５として、ＵＳＢ−ＨＤＤやＵＳＢメモリおよび他の記憶媒体を用いることも可能である。
【００６０】
以上に述べた構成によれば、以下の効果を得ることができる。
【００６１】
本リムーバブルメディア管理装置２０１は、外部リムーバブルメディア１１５の記憶領域に保存される医用データファイルの付帯情報を管理するＤＩＣＯＭＤＩＲファイルを、患者情報ファイル７７と管理ファイルとに分割し、階層化して保存する。また、外部リムーバブルメディア１１５から医用データファイル読み出すとき、まず外部リムーバブルメディア１１５の記憶領域に保存されている患者情報ファイル７７を読み込み、読み込んだ患者情報ファイル７７に基づいて患者をリスト表示する。次にユーザが患者を選択すると、選択した患者の管理ファイルを読み込み、選択した患者に関連した医用データファイルをリスト表示する。以上のことから、本実施形態のリムーバブルメディア管理装置２０１は、外部リムーバブルメディア１１５へ保存される医用データファイルの付帯情報を管理する管理ファイルを分割、階層化して管理する。従って、外部リムーバブルメディア１１５へアクセスするとき、階層ごとに管理ファイルへアクセスするため、アクセス時のデータ量を少なく制限でき、外部リムーバブルメディア１１５へのアクセス時の応答性の遅さといった問題を解消することができる。
【００６２】
（第３の実施形態）  
図１８は、本実施形態に係るリムーバブルメディア管理装置３０１のブロック構成図を示している。本実施形態におけるリムーバブルメディア管理装置３０１の構成について、上述した第１の実施形態の構成図である図３および第２の実施形態の構成図である図９と同一である構成要素には、説明の重複を避けるため、同符号を付してその詳細な説明は省略し、異なる処理を行う構成要素について符号を変えて説明する。また、コネクタ１１２と接続される外部リムーバブルメディア１１５や、本実施形態におけるリムーバブルメディア管理装置３０１に接続されている医用データファイルを記憶している例えばＰＡＣＳを構成している機器１１１についても、その構成要素は図３および図９と同一なので、説明の重複を避けるため同符号を付してその詳細な説明は省略する。
【００６３】
図３および図９と異なる処理を行う構成要素は、割当部３１０と管理ファイル作成部３０９である。割当部３１０は、保存対象の医用データファイルの付帯情報から抽出された患者情報に基づいて、所定の規則に従って、複数の記憶区分に複数の患者がそれぞれ対応するように、保存対象の医用データファイルに記憶区分のいずれかを保存先として割り当てる。すなわち、複数の記憶区分と複数の患者がそれぞれ対応し、患者氏名や患者ＩＤなどの患者情報が同一である医用データファイルに対して、同一の記憶区分を割り当てる。ここで所定の規則とは、医用データファイルの患者情報における氏名のアルファベットに基づいて、保存対象の医用データファイルに、それぞれの患者に対してそれぞれの記憶区分を割り当てるように規定されている。なお、保存対象の医用データファイルが作成された日時に基づいて、保存対象の医用データファイルに記憶区分を割り当てる規則を用いることも可能である。
【００６４】
管理ファイル作成部３０９は、複数の記憶区分それぞれに対応する複数の管理ファイルをそれぞれ作成する。すなわち上記割当部３１０で割り当てられた一つの記憶区分対して、一つの管理ファイルが作成される。上記割当については、以下の動作で詳述する。
【００６５】
本実施形態におけるリムーバブル管理装置３０１は、外部リムーバブルメディア１１５に対して、一例として図２４に示すデータ構造をＤＩＣＯＭ規格に基づいて構築する。以下図２４のデータ構造を概説する。外部リムーバブルメディア１１５の記憶領域が複数の記憶区分に分割されている。医用データファイルの付帯情報を管理するＤＩＣＯＭＤＩＲファイルが、患者ＤＲのみから構成される患者情報ファイルと複数の患者それぞれに対して作成される管理ファイルとに分割されている。患者情報ファイルは、外部リムーバブルメディア１１５の記憶領域へ保存されている。管理ファイルと管理ファイルに関連した医用データファイルとが、一つのＤＩＣＯＭメディア１を形成する。患者それぞれに形成されたＤＩＣＯＭメディア１が、それぞれの記憶区分に割り当てられている。図２４および患者情報ファイル、管理ファイルについては、以下の動作において詳述する。
【００６６】
（動作）  
次に、本リムーバブルメディア管理装置３０１において、外部リムーバブルメディア１１５への最初の接続による保存、追加保存および読出しの動作について説明する。外部リムーバブルメディア１１５は、例えばＵＳＢ−ＨＤＤまたはＵＳＢメモリであり、その他の記憶媒体であっても、以下説明するリムーバブルメディア管理装置３０１の動作は同一である。図１９は、本リムーバブルメディア管理装置３０１において、外部リムーバブルメディア１１５への最初の接続による保存処理の手順を示すフローチャートである。
【００６７】
はじめに、接続検出部１０３が外部リムーバブルメディア１１５の接続を検出（ステップＳｅ１）し、記憶区分分割部１０４が接続した外部リムーバブルメディア１１５の記憶領域を複数の記憶区分に分割する（ステップＳｅ２）。例えば、外部リムーバブルメディア１１５の記憶領域が４００ＧＢのとき、一つの記憶区分の大きさを均等に１０ＧＢとして、外部リムーバブルメディア１１５の記憶領域を４０個の記憶区分に分割する。このように、外部リムーバブルメディア１１５の記憶領域を複数の記憶区分に分割することで、外部リムーバブルメディア１１５への応答性を向上させる。
【００６８】
次に、認識部１０８がユーザによって入力部１１２を介して選択部１１４で選択された保存対象の医用データファイルを認識し（ステップＳｅ３）、認識した医用データファイルの付帯情報から患者の情報を抽出する（ステップＳｅ４）。抽出した患者情報に基づいて、割当部３１０が所定の規則に従って、複数の記憶区分に複数の患者がそれぞれ対応するように、認識した医用データファイルに記憶区分のいずれかを保存先として割り当てる（ステップＳｅ５）。この割当に基づいて、上記医用データファイルを割り当てられた記憶区分に保存する（ステップＳｅ６）。
【００６９】
次に、管理ファイル作成部３０９が、複数の記憶区分それぞれに対応する複数の管理ファイルをそれぞれ作成する（ステップＳｅ７）。本実施形態での管理ファイルの概念図の一例を図２０に示す。図２０において、作成された管理ファイルは、一人の患者についての複数の医用データファイルを管理対象としており、保存された医用データファイルの保存アドレス情報と保存された医用データファイルの付帯情報の一部とを含む。
【００７０】
本実施形態での管理ファイルと、図４に示された第１の実施形態で作成された管理ファイル、すなわち記憶区分それぞれに作成されたＤＩＣＯＭＤＩＲファイルとは、管理対象範囲が異なるファイルである。図２０に示された本実施形態での管理ファイルは、一人の患者についての複数の医用データファイルを管理対象としている。一方、図４に示された第１の実施形態で作成された管理ファイルは、複数の患者における複数の医用データファイルを管理対象としている。ここまでの管理ファイルの説明は、図１２に示された第２の実施形態の管理ファイルと同じである。本実施形態と第２の実施形態の管理ファイルとの相違点は、本実施形態の管理ファイルの保存先として、複数の記憶区分それぞれに対応して、本実施形態のそれぞれの管理ファイルが割り当てられる点である。
【００７１】
フローチャートに戻って、管理ファイル作成部３０９で作成された管理ファイルを、保存した上記医用データファイルと同じ記憶区分へ保存（ステップＳｅ８）し、管理ファイルの付帯情報から保存アドレス情報を抽出する（ステップＳｅ９）。
【００７２】
患者情報ファイル作成部２２０が、保存対象の医用データファイルの付帯情報から抽出した患者情報と、保存した管理ファイルの保存アドレス情報とに基づいて、全記憶区分に記憶された全ての医用データファイルを対象とした患者情報ファイル７７を作成する（ステップＳｅ１０）。作成された患者情報ファイルの概念図の一例を図２１に示す。図２１において患者情報ファイルは、複数の患者情報と、複数の患者それぞれに対応した管理ファイルのアドレス情報とから構成される。ここまでの患者情報ファイルの説明は、図１０に示された第２の実施形態の患者情報ファイルと同じである。本実施形態における患者情報ファイルと第２の実施形態の患者情報ファイルとの相違点は、複数の記憶区分それぞれに割り当てられたそれぞれの管理ファイルのアドレス情報を含む点である。このように、医用データファイルの付帯情報を管理するＤＩＣＯＭＤＩＲファイル２を、患者情報ファイル７７とそれぞれの患者および記憶区分に対応した管理ファイルとに分割することで、外部リムーバブルメディア１１５へのアクセスの応答性を向上させる。
【００７３】
作成された患者情報ファイル７７を、接続した外部リムーバブルメディア１１５へ、患者情報ファイル７７の患者情報と管理ファイルの患者情報とを関連付けて保存する（ステップＳｅ１１）。
【００７４】
次に本リムーバブルメディア管理装置３０１において、外部リムーバブルメディア１１５への追加保存の処理について説明する。図２２は、本実施形態における追加保存の処理の手順を示すフローチャートである。それぞれの処理が図１９と同一であるものについては、説明の重複を避けるため、同符号を付してその詳細な説明は省略し、異なる処理についてのみ説明する。
【００７５】
図２２と図１９における異なる処理は、図１９におけるステップＳｅ７およびステップＳｅ１０における作成という処理である。作成という処理を更新という処理に変えることで、図２２のステップＳｅ７７およびステップＳｅ１０１が得られる。ステップＳｅ７７における更新という処理は、最初の接続による保存処理で作成された管理ファイルの患者情報と、追加保存対象の医用データファイルの患者情報とが同一であるならば、追加保存対象の医用データファイルの付帯情報を上記管理ファイルに組み入れる処理である。一方、最初の接続による保存処理で作成された管理ファイルの患者情報と、追加保存対象の医用データファイルの患者情報とが同一でないならば、ステップＳｅ７７における更新という処理は、新たに管理ファイルを作成する処理である。また、ステップＳｅ１０１における更新という処理は、最初の接続による保存処理で作成された患者情報ファイルである７７へ、追加保存対象の医用データファイルの患者情報を新たに組み入れる処理である。また、複数回の保存を行う手順として、ユーザによって医用データファイルの保存の終了が選択（ステップＳｅ１２）されない限り、ユーザによって入力部１１２を介して選択部１１４で選択された保存対象の医用データファイルを認識する処理（ステップＳｅ３）から患者情報ファイルを更新する処理（ステップＳｅ１０１）までの手順を繰り返し行う。
【００７６】
続いて、外部リムーバブルメディア１１５に保存された医用データファイルを読み出す動作について、図２３のフローチャートを参照しながら、各処理の解説を行う。
【００７７】
はじめに、接続検出部１０３が外部リムーバブルメディア１１５の接続を検出（ステップＳｆ１）し、認識部１０８が全記憶区分に記憶された全ての医用データファイルを対象とした患者情報ファイル７７を認識する（ステップＳｆ２）。このとき、表示部１０７で表示される画面の一例として図１５を示す。外部リムーバブルメディア１１５を検出後、例えば図１５の矢印の左側に示された外部リムーバブルメディア１１５のドライブネームを、表示部１０７が一つだけ表示する。第１の実施形態との相違点は、ユーザに対しては１つのドライブネームとして外部リムーバブルメディア１１５を表示し、ユーザに複数の記憶区分を意識させないことである。ユーザが上記ドライブネームを選択後、認識した患者情報ファイル７７に基づいて、リスト作成部１０６が患者リストを作成（ステップＳｆ３）する。続いて、表示部１０７が作成した患者リストを表示する（ステップＳｆ４）。このときの表示部では、例えば図１５の矢印の右側ように患者のリストを表示する。作成される患者リストの項目は、例えば、氏名、生年月日、性別などである。
【００７８】
次に、図１５の矢印の右側に示された患者リストにおいて、ユーザによって入力部１１２を介して選択部１１４で選択された患者に基づいて、選択された患者と対応する記憶区分における管理ファイルを読み込む（ステップＳｆ５）。読み込まれた管理ファイルに基づいて、リスト作成部１０６が医用データファイルのファイルリストを作成（ステップＳｆ６）し、表示部１０７が作成されたファイルリストを表示する（ステップＳｆ７）。図１６にリスト作成部１０６が作成するファイルリストの一例を示す。作成されるファイルリストの項目は、例えば、検査名、シリーズナンバー、画像ナンバーなどである。ファイルリストの項目について、図１６に示されたファイルリストと第１の実施形態における図８で示されたファイルリストとの違いは、患者氏名が含まれていないことである。本実施形態におけるファイルリストの項目において、患者氏名が含まれていない理由は、患者リストからユーザによる患者の選択に基づいて、ファイルリストが作成されるためである。また、本実施形態と第２の実施形態において、医用データファイルのファイルリストを作成する相違点は、第２の実施形態では全てのファイルが記憶されている記憶領域から作成しているのに対し、本実施形態ではユーザによって選択された患者と対応する記憶区分から作成している点である。
【００７９】
表示されたファイルリストにおいて、ユーザによって選択された医用データファイルに基づいて、選択された医用データファイルを、選択された医用データファイルが保存されている記憶区分から読み出す（ステップＳｆ８）。このように、それぞれの患者に対応する個々の記憶区分から医用データファイルを読出すことで、外部リムーバブルメディア１１５への応答性を向上させる。
【００８０】
医用データファイルの読出しの終了が選択（ステップＳｆ９）されない限り、ユーザによって選択された患者と対応する記憶区分における管理ファイルを読み込む処理（ステップＳｆ５）から医用データファイルの読出しを終了する判断処理（ステップＳｆ９）までの手順を繰り返し行う。
【００８１】
本実施形態におけるリムーバブルメディア管理装置３０１によって外部リムーバブルメディア１１５へ構築されるＤＩＣＯＭ規格でのデータ構造の一例である図２４について、上述した第１の実施形態におけるリムーバブルメディア管理装置１０１および上述した第２の実施形態におけるリムーバブルメディア管理装置２０１によって外部リムーバブルメディア１１５へ構築されるＤＩＣＯＭ規格でのデータ構造の一例である図２、図１７と同一である構成要素については、説明の重複を避けるため、同符号を付してその詳細な説明は省略し、異なる構成要素について説明する。
【００８２】
図２４に示すように、外部リムーバブルメディア１１５の記憶領域は、リムーバブルメディア管理装置３０１によって複数の記憶区分に分割される。それぞれの記憶区分は、ＤＩＣＯＭ規格におけるデータ構造を有するＤＩＣＯＭメディア１（ディスクイメージ）として定義される。ＤＩＣＯＭ規格との対応における患者情報ファイル７７は、患者ＤＲのみで構成されたＤＩＣＯＭＤＩＲファイルである。ＤＩＣＯＭメディア１におけるＤＩＣＯＭ規格と対応する管理ファイルは、管理対象の範囲が患者一人であるという点を除いて、ＤＩＣＯＭＤＩＲファイル２と同一な構成となっている。一人の患者についてのＤＩＣＯＭＤＩＲファイルを含むＤＩＣＯＭメディアの総数は、患者情報ファイル７７に含まれる患者ＤＲの総数と等しい。すなわち、患者ＤＲのみで構成されたＤＩＣＯＭＤＩＲファイル７７におけるある患者ｂについての患者ＤＲ７−ｂと、患者ｂについてのＤＩＣＯＭメディア１とが関連付いている。
【００８３】
外部リムーバブルメディア１１５の記憶領域には、患者ＤＲのみで構成されたＤＩＣＯＭＤＩＲファイル７７がマウントされる。患者ＤＲのみで構成されたＤＩＣＯＭＤＩＲファイル７７には、複数の患者ＤＲがマウントされる。ＤＩＣＯＭメディア１には、医用データファイルを主とするオブジェクトファイル３−ｂ、４−ｂ、５−ｂと、一人の患者についてのＤＩＣＯＭＤＩＲファイルと非ＤＩＣＯＭファイル６がマウントされる。一人の患者についてのＤＩＣＯＭＤＩＲファイル２−ｂには、複数のＤＲがマウントされる。すなわち、Patient DR７−ｂの下位にStudy DR８−ｂがマウントされる。Study DR８−ｂの下位にSeries DR９−ｂがマウントされる。Series DR９−ｂの下位にImage DR１０−ｂ、Image DR１１−ｂ、Image DR１２−ｂがマウントされる。また、Image DR１０−ｂ、Image DR１１−ｂ、Image DR１２−ｂからの実線の矢印は、Image DR１０−ｂ、Image DR１１−ｂ、Image DR１２−ｂとオブジェクトファイル３−ｂ、オブジェクトファイル４−ｂ、オブジェクトファイル５−ｂとが、それぞれ関連付けられていることを示している。添え字のｂは、ある患者ｂについてのＤＲおよび医用データファイルを表している。
【００８４】
以上図１９、図２２、図２３では、ＤＩＣＯＭ規格の一例として、患者情報ファイルについては患者情報ＤＩＣＯＭＤＩＲファイル７７を、管理ファイルについては記憶区分ＤＩＣＯＭＤＩＲファイルを用いて解説してきたが、患者情報ファイルおよび管理ファイルとしては、ＤＩＣＯＭ規格以外のものを用いることも可能である。また、外部リムーバブルメディア１１５として、ＵＳＢ−ＨＤＤやＵＳＢメモリおよび他の記憶媒体を用いることも可能である。
【００８５】
以上に述べた構成によれば、以下の効果を得ることができる。
【００８６】
本リムーバブルメディア管理装置３０１によれば、外部リムーバブルメディア１１５の記憶領域を複数の記憶区分に分割し、複数の記憶区分に複数の患者がそれぞれ対応するように医用データファイルを割り当てて保存する。外部リムーバブルメディア１１５の記憶領域に保存される医用データファイルの付帯情報を管理するＤＩＣＯＭＤＩＲファイルを、患者情報ファイル（患者情報ＤＩＣＯＭＤＩＲファイル）７７とそれぞれの記憶区分の患者情報にそれぞれ対応した管理ファイル（記憶区分ＤＩＣＯＭＤＩＲファイル）とに分割、階層化して保存する。また、外部リムーバブルメディア１１５から医用データファイル読み出すとき、外部リムーバブルメディア１１５のルートディレクトリに保存されている患者情報ファイル７７を読み込み、その後複数の記憶区分とそれぞれ対応した患者リストを表示する。次にユーザが患者を選択すると、選択した患者と対応する記憶区分にある管理ファイルを読み込み、選択した患者に関連した医用データファイルをリスト表示する。以上のことから、本実施形態のリムーバブル管理装置３０１は、外部リムーバブルメディア１１５の記憶領域を自動的に分割する。次に、本実施形態のリムーバブル管理装置３０１は、それぞれの患者と対応したそれぞれの記憶区分において、保存された医用データファイルの付帯情報を管理する管理ファイルであるＤＩＣＯＭＤＩＲファイルを分割、階層化して管理する。従って、外部リムーバブルメディア１１５へアクセスするとき、それぞれの記憶区分ごとに管理ファイルへアクセスするため、アクセス時のデータ量を少なく制限でき、外部リムーバブルメディア１１５へのアクセス時の応答性の遅さといった問題を解消することができる。さらに、記憶区分を別のリムーバブルメディアにコピーすると、記憶区分ＤＩＣＯＭＤＩＲファイルは、従来用いられているＤＩＣＯＭメディア１となる。
【００８７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８８】
１…ＤＩＣＯＭメディア、２…ＤＩＣＯＭＤＩＲファイル、２-ｂ…ある患者ｂについてのＤＩＣＯＭＤＩＲファイル、３…オブジェクトファイル、４…オブジェクトファイル、５…オブジェクトファイル、６…非ＤＩＣＯＭファイル、７…Patient DR、８…Study DR、９…Series DR、１０…Image DR、１１…Image DR、１２…Image DR、７７…患者情報ファイル、１０１…第1の実施形態におけるリムーバブルメディア管理装置、１０２…コネクタ、１０３…接続検出部、１０４…記憶区分認識部、１０５…記憶区分分割部、１０６…リスト作成部、１０７…表示部、１０８…認識部、１０９…第１の実施形態における管理ファイル作成部、１１０…第1の実施形態における割当部、１１１…医用データファイルを記憶している機器、１１２…入力部、１１３…医用データファイル記録部、１１４…選択部、１１５…外部リムーバブルメディア、２０１…第２の実施形態におけるリムーバブルメディア管理装置、２１０…第２の実施形態における割当部、２２０…患者情報ファイル作成部、３０１…第３の実施形態におけるリムーバブルメディア管理装置、３０９…第３の実施形態における管理ファイル作成部、３１０…第３の実施形態における割当部
【図１】
0005611580.tif 000002
【図２】
0005611580.tif 000003
【図３】
0005611580.tif 000004
【図４】
0005611580.tif 000005
【図５】
0005611580.tif 000006
【図６】
0005611580.tif 000007
【図７】
0005611580.tif 000008
【図８】
0005611580.tif 000009
【図９】
0005611580.tif 000010
【図１０】
0005611580.tif 000011
【図１１】
0005611580.tif 000012
【図１２】
0005611580.tif 000013
【図１３】
0005611580.tif 000014
【図１４】
0005611580.tif 000015
【図１５】
0005611580.tif 000016
【図１６】
0005611580.tif 000017
【図１７】
0005611580.tif 000018
【図１８】
0005611580.tif 000019
【図１９】
0005611580.tif 000020
【図２０】
0005611580.tif 000021
【図２１】
0005611580.tif 000022
【図２２】
0005611580.tif 000023
【図２３】
0005611580.tif 000024
【図２４】
0005611580.tif 000025